(57)【要約】【課題】インターネットコミュニケーションサイトにおけるコミュニティ参加手続きやプロフィール登録などの煩雑さを解消する。【解決手段】コミュニティ管理部１２は、コミュニティ情報を含むユーザ登録用ＵＲＬを生成し、このＵＲＬをコミュニティ主催者２１−２に送信する。コミュニティ主催者２１−２は、このコミュニティ情報を含むユーザ登録用ＵＲＬを放送媒体や印刷媒体を介して一般公開する。一般公開によりこのコミュニティの存在を知った新規ユーザが、このＵＲＬからアクセスしてユーザ登録を行うと、インターネットコミュニケーションサイトへの登録と同時にコミュニティへの参加登録も自動で行われる。またコミュニティの属性がユーザ属性として登録されるため、プロフィール情報の入力の記載も省略できる。【選択図】  図１
2008226144.tif 000002
【特許請求の範囲】
【請求項１】
インターネットに接続された複数のユーザ端末により複数のユーザが自由にコミュニティを作成及び参加することが可能なインターネットコミュニケーションサイトを運営するインターネットコミュニケーションサーバにおいて、
コミュニティ主催者のユーザ端末から新規コミュニティのコミュニティ登録情報の入力を受け付けるコミュニティ登録手段と、
前記受け付けたコミュニティのコミュニティ登録情報とともに、該コミュニティを識別するコミュニティ識別情報を管理するコミュニティ管理データベースと、
前記インターネットコミュニケーションサイトに新規ユーザを招待するためのユーザ招待ＵＲＬを生成するＵＲＬ生成手段であって、前記コミュニティ識別情報を含むユーザ招待ＵＲＬを生成するＵＲＬ生成手段と、
前記ユーザ招待ＵＲＬに基づいてアクセスした新規ユーザのユーザ端末から該新規ユーザのユーザ登録情報の入力を受け付けるユーザ登録手段と、
前記受け付けたユーザを示すユーザ識別情報とともに前記ユーザ登録情報を管理するユーザ管理データベースであって、前記ユーザ招待ＵＲＬに含まれるコミュニティ識別情報を、該ユーザが参加するコミュニティとして自動的に登録するユーザ管理データベースと、
を備えたことを特徴とするインターネットコミュニケーションサーバ。
【請求項２】
前記コミュニティ登録情報は、コミュニティ名及びコミュニティ属性を含み、
前記ユーザ管理データベースは、前記コミュニティ管理データベースによってコミュニティ識別情報とともに管理されているコミュニティ属性を、該コミュニティに参加する新規ユーザのユーザ属性として自動的に登録することを特徴とする請求項１に記載のインターネットコミュニケーションサーバ。
【請求項３】
前記ＵＲＬ生成手段によって生成したユーザ招待ＵＲＬを、前記コミュニティ主催者のユーザ端末に送信する通信手段を備えたことを特徴とする請求項１又は２に記載のインターネットコミュニケーションサーバ。
【請求項４】
インターネットに接続された複数のユーザ端末により複数のユーザが自由にコミュニティを作成及び参加することが可能なインターネットコミュニケーションサイトへの招待方法において、
コミュニティ主催者のユーザ端末から新規コミュニティのコミュニティ登録情報の入力を受け付けるコミュニティ登録工程と、
前記受け付けたコミュニティのコミュニティ登録情報とともに、該コミュニティを識別するコミュニティ識別情報を管理するコミュニティ管理データベースを作成する工程と、
前記インターネットコミュニケーションサイトに新規ユーザを招待するためのユーザ招待ＵＲＬを生成するＵＲＬ生成工程であって、前記コミュニティ識別情報を含むユーザ招待ＵＲＬを生成するＵＲＬ生成工程と、
前記ＵＲＬ生成工程によって生成されたユーザ招待ＵＲＬを、前記コミュニティ主催者のユーザ端末に送信する通信工程と、
前記通信工程によって送信された前記ユーザ招待ＵＲＬを、前記コミュニティ主催者が一般公開する公開工程と、
前記公開工程によって一般公開された前記ユーザ招待ＵＲＬを、前記インターネットコミュニケーションサイトの新規ユーザが取得するＵＲＬ取得工程と、
前記ユーザ招待ＵＲＬに基づいてアクセスした新規ユーザのユーザ端末から該新規ユーザのユーザ登録情報の入力を受け付けるユーザ登録工程と、
前記受け付けたユーザを示すユーザ識別情報とともに前記ユーザ登録情報を管理するユーザ管理データベースを作成する工程であって、前記ユーザ招待ＵＲＬに含まれるコミュニティ識別情報を、該ユーザが参加するコミュニティとして自動的に登録するユーザ管理データベースを作成する工程と、
を備えたことを特徴とするインターネットコミュニケーションサイトへの招待方法。
【請求項５】
前記公開工程は、放送媒体を用いた工程であることを特徴とする請求項４に記載のインターネットコミュニケーションサイトへの招待方法。
【請求項６】
前記公開工程は、印刷媒体を用いた工程であることを特徴とする請求項４に記載のインターネットコミュニケーションサイトへの招待方法。
【請求項７】
前記公開工程は、インターネット媒体を用いた工程であることを特徴とする請求項４に記載のインターネットコミュニケーションサイトへの招待方法。
【発明の詳細な説明】
【技術分野】
【０００１】
本発明はインターネットコミュニティサーバ及びインターネットコミュニケーションサイトへの招待方法に係り、特にインターネットコミュニケーションサイトへの入会と同時に特定コミュニティへの参加が可能なインターネットコミュニティサーバ及びインターネットコミュニケーションサイトへの招待方法に関する。
【背景技術】
【０００２】
ＳＮＳ（ソーシャルネットワーキングサイト）のようなインターネット上の大規模コミュニケーションサービスでは、ユーザ同士が共通の趣味趣向をテーマとしたコミュニティを形成し、コミュニケーションを実施している。また最近では、サッカーワールドカップ等のイベントに対する公式コミュニティや、企業の製品に対する公式コミュニティ、地域密着型のご当地コミュニティのように、一個人ではなく、公式な企業・団体・地方自治体等が主催するコミュニティも存在し、それぞれ多くのユーザを集めている。ユーザがこのようなコミュニティに参加しようとする場合は、特許文献１に記載されているように、ユーザ自身がテーマに関するキーワードを用いて、コミュニティを検索して、参加していた。
【特許文献１】特開２００３−１８６８７７号公報
【発明の開示】
【発明が解決しようとする課題】
【０００３】
しかし、ソーシャルネットワーキングサイトの非会員がこのような特定コミュニティに参加するためには、ニュース、広告、又はイベント会場における告知等により、コミュニティの存在を知り、コミュニティが運営されているソーシャルネットワーキングサイトへプロフィール情報の入力等を伴う入会登録を行い、入会後に所望のコミュニティの検索を行った後にそのコミュニティへ参加する、という煩雑な手順を踏む必要があった。本発明はこのような事情に鑑みてなされたもので、コミュニティ参加手続きやプロフィール登録などの煩雑さを解消できるインターネットコミュニケーションサーバ及びインターネットコミュニケーションサイトへの招待方法を提供することを目的とする。
【課題を解決するための手段】
【０００４】
前記目的を達成するために請求項１に係るインターネットコミュニケーションサーバは、インターネットに接続された複数のユーザ端末により複数のユーザが自由にコミュニティを作成及び参加することが可能なインターネットコミュニケーションサイトを運営するインターネットコミュニケーションサーバにおいて、コミュニティ主催者のユーザ端末から新規コミュニティのコミュニティ登録情報の入力を受け付けるコミュニティ登録手段と、前記受け付けたコミュニティのコミュニティ登録情報とともに、該コミュニティを識別するコミュニティ識別情報を管理するコミュニティ管理データベースと、前記インターネットコミュニケーションサイトに新規ユーザを招待するためのユーザ招待ＵＲＬを生成するＵＲＬ生成手段であって、前記コミュニティ識別情報を含むユーザ招待ＵＲＬを生成するＵＲＬ生成手段と、前記ユーザ招待ＵＲＬに基づいてアクセスした新規ユーザのユーザ端末から該新規ユーザのユーザ登録情報の入力を受け付けるユーザ登録手段と、前記受け付けたユーザを示すユーザ識別情報とともに前記ユーザ登録情報を管理するユーザ管理データベースであって、前記ユーザ招待ＵＲＬに含まれるコミュニティ識別情報を、該ユーザが参加するコミュニティとして自動的に登録するユーザ管理データベースとを備えたことを特徴とする。
【０００５】
これにより、インターネットコミュニケーションサイトに入会後、所望のコミュニティの検索を行うことなく、コミュニティに参加することができる。
【０００６】
請求項２に示すように請求項１に記載のインターネットコミュニケーションサーバにおいて、前記コミュニティ登録情報は、コミュニティ名及びコミュニティ属性を含み、前記ユーザ管理データベースは、前記コミュニティ管理データベースによってコミュニティ識別情報とともに管理されているコミュニティ属性を、該コミュニティに参加する新規ユーザのユーザ属性として自動的に登録することを特徴とする。
【０００７】
これにより、インターネットコミュニケーションサイトに入会時、プロフィール情報の入力を省略することができる。
【０００８】
請求項３に示すように請求項１又は２に記載のインターネットコミュニケーションサーバにおいて、前記ＵＲＬ生成手段によって生成したユーザ招待ＵＲＬを、前記コミュニティ主催者のユーザ端末に送信する通信手段を備えたことを特徴とする。
【０００９】
前記目的を達成するために請求項４に記載のインターネットコミュニケーションサイトへの招待方法は、インターネットに接続された複数のユーザ端末により複数のユーザが自由にコミュニティを作成及び参加することが可能なインターネットコミュニケーションサイトへの招待方法において、コミュニティ主催者のユーザ端末から新規コミュニティのコミュニティ登録情報の入力を受け付けるコミュニティ登録工程と、前記受け付けたコミュニティのコミュニティ登録情報とともに、該コミュニティを識別するコミュニティ識別情報を管理するコミュニティ管理データベースを作成する工程と、前記インターネットコミュニケーションサイトに新規ユーザを招待するためのユーザ招待ＵＲＬを生成するＵＲＬ生成工程であって、前記コミュニティ識別情報を含むユーザ招待ＵＲＬを生成するＵＲＬ生成工程と、前記ＵＲＬ生成工程によって生成されたユーザ招待ＵＲＬを、前記コミュニティ主催者のユーザ端末に送信する通信工程と、前記通信工程によって送信された前記ユーザ招待ＵＲＬを、前記コミュニティ主催者が一般公開する公開工程と、前記公開工程によって一般公開された前記ユーザ招待ＵＲＬを、前記インターネットコミュニケーションサイトの新規ユーザが取得するＵＲＬ取得工程と、前記ユーザ招待ＵＲＬに基づいてアクセスした新規ユーザのユーザ端末から該新規ユーザのユーザ登録情報の入力を受け付けるユーザ登録工程と、前記受け付けたユーザを示すユーザ識別情報とともに前記ユーザ登録情報を管理するユーザ管理データベースを作成する工程であって、前記ユーザ招待ＵＲＬに含まれるコミュニティ識別情報を、該ユーザが参加するコミュニティとして自動的に登録するユーザ管理データベースを作成する工程とを備えたことを特徴とする。
【００１０】
これにより、インターネットコミュニケーションサイトに入会後、所望のコミュニティの検索を行うことなく、コミュニティに参加することができる。
【００１１】
請求項５に示すように請求項４に記載のインターネットコミュニケーションサイトへの招待方法において、前記公開工程は、放送媒体を用いた工程であることを特徴とする。
【００１２】
請求項６に示すように請求項４に記載のインターネットコミュニケーションサイトへの招待方法において、前記公開工程は、印刷媒体を用いた工程であることを特徴とする。
【００１３】
請求項７に示すように請求項４に記載のインターネットコミュニケーションサイトへの招待方法において、前記公開工程は、インターネット媒体を用いた工程であることを特徴とする。
【発明の効果】
【００１４】
本発明によれば、ユーザがインターネットコミュニケーションサイトへ入会すると同時に、自動的に特定コミュニティへの参加及び特定コミュニティに関連するプロフィール情報の登録を行うことにより、ユーザが所望する環境への設定の手間が省けるインターネットコミュニケーションサーバ及びインターネットコミュニケーションサイトへの招待方法を提供することができる。
【発明を実施するための最良の形態】
【００１５】
以下、添付図面に従って本発明を実施するための最良の形態について説明する。
【００１６】
図１は、本発明に係るインターネットコミュニケーションサーバ１０（以下、サーバ１０と呼ぶ）が設けられたネットワークの概略図である。サーバ１０は、インターネット２０を介して複数のユーザ２１−１やコミュニティ主催者２１−２らのクライアント２１と接続され、クライアント２１に対してウェブページを提供するウェブサーバ１１、クライアント２１が作成及び参加可能なコミュニティを管理するコミュニティ管理部１２、登録されたコミュニティ情報を管理するコミュニティ管理データベース１３、クライアント２１の入会時に、ユーザＩＤを割り当て、ユーザホームページのＵＲＬを発行するユーザ管理部１４、及び登録されたクライアント２１のユーザ情報を管理するユーザ管理データベース１５から構成されている。
【００１７】
このサーバ１０が運営するインターネットコミュニケーションサイトでは、クライアント２１がそれぞれ自由にコミュニティを作成したり、所望のコミュニティに参加して掲示板を閲覧したり、意見を述べることができる。
【００１８】
ここで、図２を用いてコミュニティの作成の処理について説明する。図２はコミュニティ作成の処理について示すフローチャートである。
【００１９】
最初に、新しいコミュニティを作成しようとするユーザ２１−１が、コミュニティ作成用ウェブページへアクセスする（ステップＳ２１）。ユーザ２１−１はコミュニティ作成用ウェブページの指示に従って、コミュニティ名等のコミュニティ情報を入力する（ステップＳ２２）。ここでは、コミュニティ情報の１つとして、コミュニティに関連したキーワードを入力する。このキーワードは、参加ユーザの属性として、このコミュニティに参加したユーザの登録情報に追加されるものである。例えば「ＡＢＣ美容液」という製品に関連するコミュニティ「ＡＢＣ美容液」を作成する場合、参加するユーザは健康や美容に関心があると考えられるので、参加ユーザ属性の趣味の欄に「健康・美容」等と入力する。
【００２０】
次に、この入力情報を基に、コミュニティ管理部１２は、コミュニティ管理データベース１３にこのコミュニティを登録する（ステップＳ２３）。このとき、コミュニティＩＤが割り振られ、また、このコミュニティを作成したユーザ２１−１はコミュニティ主催者２１−２となる。同時に、コミュニティ主催者２１−２及びこのコミュニティの参加ユーザであるクライアント２１がアクセスするためのコミュニティ用ウェブページ及びそのＵＲＬが生成される。
【００２１】
図３は、コミュニティ管理データベース１３に保存されたコミュニティ情報データを示す図である。図３に示すように、コミュニティＩＤ、コミュニティ名、参加ユーザ属性、及び参加ユーザＩＤが保存される。
【００２２】
また、コミュニティ管理部１２は、この登録されたコミュニティの情報を含むユーザ登録用ＵＲＬを生成し、コミュニティ主催者２１−２にこのＵＲＬを送信する（ステップＳ２４）。
【００２３】
コミュニティ主催者２１−２は、テレビ放送、雑誌、ポスター等の告知媒体によりこの作成したコミュニティの存在を告知すると同時に、コミュニティ情報を含むユーザ登録用ＵＲＬを告知する。ここで、コミュニティ情報を含むユーザ登録ＵＲＬは、文字列のまま告知してもよいし、ＱＲコードのように扱いやすい形態にしてもよい。またインターネット上で告知する場合は、アイコンとハイパーリンクを用いてもよい。
【００２４】
次に、このコミュニティへの参加を希望するインターネットコミュニケーションサイトの非会員の、入会時の処理について説明する。図４は、入会希望者がコミュニティ情報を含むユーザ登録ウェブページから入会するときの処理を示すフローチャートである。
【００２５】
まず、告知媒体によりコミュニティの存在を知った入会希望者が、コミュニティ情報を含むユーザ登録用ＵＲＬからこのコミュニケーションサイトへアクセスする（ステップＳ４１）。ユーザ登録用ウェブページの指示に従って、氏名や住所、メールアドレス等のプロフィール情報を入力する（ステップＳ４２）。
【００２６】
次に、この入力情報を基に、ユーザ管理部１４は、ユーザ管理データベース１５にこのユーザを登録し（ステップＳ４３）、この新規ユーザにユーザＩＤを割り振る。図５は、ユーザ管理データベース１５に保存されたユーザ情報データを示す図である。図５に示すように、ユーザＩＤ、ユーザ名、パスワードの他、ステップＳ４２で入力したプロフィール情報が保存される。次に、ユーザ管理部１４は、登録用ＵＲＬに含まれているコミュニティ情報におけるコミュニティのユーザ属性をユーザ情報に保存し、同時にコミュニティの参加登録を行う（ステップＳ４４）。例えば、コミュニティ「ＡＢＣ美容液」のコミュニティ情報を含む登録用ＵＲＬからアクセスして入会したユーザ名「花子」が入会した場合は、ユーザ管理部１４はユーザ名「花子」の参加コミュニティＩＤに「ＡＢＣ美容液」のコミュニティＩＤである「３」を登録する。さらにユーザ管理部１４は、趣味欄に「健康・美容」を、自由欄に「ＡＢＣ美容液」を追加する。また同時にコミュニティ管理部１２は、コミュニティ管理データベース１３の「ＡＢＣ美容液」の参加ユーザＩＤに花子のユーザＩＤ「１０２」を追加する。このように、花子は自動でコミュニティ「ＡＢＣ美容液」に登録され、自分で入力を行わなくとも、趣味に「健康・美容」が追加され、自由欄に「ＡＢＣ美容液」が追加される。
【００２７】
最後に、ユーザ管理部１４は、ユーザホームページ及びそのＵＲＬを作成し（ステップＳ４５）、このインターネットコミュニケーションサイトへの入会登録が終了する。入会したユーザ２１が、ステップＳ４５で生成された自分のホームページにアクセスすると、参加しようとしたコミュニティがすでに登録されており、またコミュニティのユーザ属性がプロフィール情報に追加されている。
【００２８】
このように、コミュニティ参加手続きやプロフィール登録などの煩雑さを解消することができる。
【図面の簡単な説明】
【００２９】
【図１】図１は、本発明に係るインターネットコミュニケーションサーバ１０が設けられたネットワークの概略図である。
【図２】図２はコミュニティの登録動作について示すフローチャートである。
【図３】図３は、コミュニティ管理データベース１３に保存されたコミュニティ情報データを示す図である。
【図４】図４は、入会希望者がコミュニティ情報を含むユーザ登録ＵＲＬから入会するときの処理を示すフローチャートである。
【図５】図５は、ユーザ管理データベース１５に保存されたユーザ情報データを示す図である。
【符号の説明】
【００３０】
１０…インターネットコミュニケーションサーバ、１１…ウェブサーバ、１２…コミュニティ管理部、１３…コミュニティ管理データベース、１４…ユーザ管理部、１５…ユーザ管理データベース、２０…インターネット、２１−１…クライアント（ユーザ）、２１−２…クライアント（コミュニティ主催者）
【図１】
2008226144.tif 000003
【図２】
2008226144.tif 000004
【図３】
2008226144.tif 000005
【図４】
2008226144.tif 000006
【図５】
2008226144.tif 000007